(57)【要約】【課題】天板支持板と外郭との締結において、組立工数を大幅に削減し、組立性の向上とコストダウンを図ることを目的とする。【解決手段】天板１１と、天板１１の下方に配置された加熱部１４と、加熱部１４を下方から支持する加熱部支持板１５と、加熱部１４を制御する制御基板１６と、制御基板１６を収納し、かつ上方が開放された箱状の外郭１７とを備え、外郭上方の縁の少なくとも１辺にフランジ部１９を有し、外郭１７と加熱部支持板１５は、フランジ部１９に設けた嵌合部と加熱部支持板１５に設けた爪２１によって、スライド動作によって嵌合されるとしたことで、ねじ等の締結手段で固定する工数の削減を図ることができ、部品コストおよび工数の削減を実現できる。【選択図】図１
2014142125.tif 000002
【特許請求の範囲】
【請求項１】
耐熱性の絶縁材からなる天板と、
前記天板の下方に配置され、鍋等を加熱する加熱部と、
前記加熱部を下方から支持する加熱部支持板と、
前記加熱部の加熱動作を制御する制御部を有する制御基板と、
前記制御基板を収納し、かつ上方が開放された箱状の外郭と、
を備え、
前記外郭は、
前記加熱部支持板の下方に配置されるとともに、
前記外郭上方の縁の少なくとも１辺にフランジ部と、前記フランジ部の端部もしくは前記フランジ部の一部を切り欠くことで構成される嵌合部と、を有し、
前記加熱部支持板は、
前記フランジ部に対向する位置に前記フランジ部と嵌合する爪を有し、
前記加熱部支持板を水平方向にスライドさせて前記嵌合部に前記爪を勘合させることで、前記加熱部支持板と前記外郭とが接続される、
組み込み式加熱調理器。
【請求項２】
前記嵌合部は、少なくとも前記外郭の角部周辺に設けられる、請求項１に記載の組み込み式加熱調理器。
【請求項３】
前記爪は、Ｌ字型とし、前記フランジ部の端部を前記Ｌ字型の爪に勘合させる請求項１に記載の組み込み式加熱調理器。
【請求項４】
前記加熱部支持板を、水平方向であって、前記外郭の前後方向もしくは左右方向にスライドさせることで、前記加熱部支持板と前記外郭とが接続される、請求項１に記載の組み込み式加熱調理器。
【請求項５】
前記加熱部支持板を、前記外郭の前後方向もしくは左右方向のうち、前記外郭の短辺方向となる方向にスライドさせることで、前記加熱部支持板と前記外郭とが接続される、請求項４に記載の組み込み式加熱調理器。
【請求項６】
前記嵌合部及び前記爪を複数組有し、前記複数組の前記嵌合部及び前記爪のうち少なくとも一組は、他の組と比較して、前記加熱部支持板をスライドさせることによって嵌合動作が開始されるタイミングが異なる、請求項１に記載の組み込み式加熱調理器。
【請求項７】
前記嵌合部は、組立時に前記加熱部支持板をスライドさせる方向に平行な前記フランジ部に設けられ、前記嵌合部の中心が前記外郭の中心よりもスライド方向とは反対側の位置に存在する、請求項６に記載の組み込み式加熱調理器。
【請求項８】
前記爪の周囲にビード絞りを設けた、請求項１に記載の組み込み式加熱調理器。
【請求項９】
前記加熱部支持板は、前記爪の周囲に開口部を有する、請求項１に記載の組み込み式加熱調理器。
【請求項１０】
前記加熱部支持板の前記爪を設けていない辺において、前記加熱部支持板と前記外郭とを締結手段によって機械的に締結する、請求項１に記載の組み込み式加熱調理器。
【発明の詳細な説明】
【技術分野】
【０００１】
本発明は、組み込み式加熱調理器の外郭の構成に関するものである。
【背景技術】
【０００２】
従来、この種の組み込み式加熱調理器の外郭構成としては、例えば、外郭と天板支持体を締結するのに、外郭の縁に設けたフランジに下方から締結手段（ねじ等）によって、締結するものがあった  （特許文献１参照）。
【０００３】
図６は前記文献に記載された従来の外郭構成を示すものである。図６において、耐熱性の絶縁材からなる天板３１は、下方から天板支持体３２によって支持されている。天板支持体３２外周部には溝３３を設けており、溝３３と天板３１との空間にシリコンなどの耐熱性の接着剤３４が塗布され、両者を接着している。天板３１、天板支持体３２の下方には、調理器本体を構成する外郭３５が配置され、内部には基板３６などの部品が内蔵され、上方に設けられた外フランジ部３７を介して、下方から天板支持体３２に複数の締結手段３８で締結されている。
【先行技術文献】
【特許文献】
【０００４】
【特許文献１】特開２００９−１０９１６２号公報
【発明の概要】
【発明が解決しようとする課題】
【０００５】
しかしながら、前記従来の組み込み式の加熱調理器においては、外郭と天板の下部外周に設けた天板支持板とをねじ等で機械的に締結しているため、外周の各辺すべてで締結手段（例えばねじ）によって機械的な締結をおこなう必要があり、工数がかかっており、またひいてはコストアップの要因となっていた。
【０００６】
本発明は、上記従来の課題を解決するもので、天板支持板と外郭との締結において、外周の各辺すべてをねじ等の締結手段を用いるということをせずとも、すべての辺を機械的に接続できる構成とし、これによって組立工数や修理時の作業工数を大幅に削減することを目的とする。
【課題を解決するための手段】
【０００７】
前記従来の課題を解決するために、本発明の加熱調理器は、耐熱性の絶縁材からなる天板と、前記天板の下方に配置され鍋等を加熱する加熱部と、前記加熱部を下方から支持する加熱部支持板と、前記加熱部の加熱動作を制御する制御部を有する制御基板と、前記制御基板を収納し、かつ上方が開放された箱状の外郭とを備え、前記外郭は、前記加熱部支持板の下方に配置されるとともに、前記外郭上方の縁の少なくとも１辺にフランジ部と、前記フランジ部の端部もしくは前記フランジ部の一部を切り欠くことで構成される嵌合部と、を有し、前記加熱部支持板は、前記フランジ部に対向する位置に前記フランジ部と嵌合する爪を有し、前記加熱部支持板を水平方向にスライドさせて前記嵌合部に前記爪を勘合させることで、前記加熱部支持板と前記外郭とが接続されるよう構成したものである。
【発明の効果】
【０００８】
これにより、加熱部支持板と外郭との勘合部周辺を外郭の４辺全部についてねじ等の締結手段で固定しなくとも、これらを機械的に接続でき、組立時や修理時の工数削減した加
熱調理機器を提供できる。
【図面の簡単な説明】
【０００９】
【図１】本発明の実施の形態１における組み込み式加熱調理器の展開斜視図
【図２】本発明の実施の形態１における加熱部支持板の斜視図
【図３】本発明の実施の形態１における加熱部支持板と外郭との接続方法を示す斜視図
【図４】本発明の実施の形態１における加熱部支持板と外郭を接続後の状態を示す斜視図
【図５】本発明の実施の形態１における組み込み式加熱調理器の（ａ）断面図、（ｂ）（ａ）の要部拡大図
【図６】従来の組み込み式加熱調理器の断面図
【発明を実施するための形態】
【００１０】
第１の発明は、耐熱性の絶縁材からなる天板と、前記天板の下方に配置され鍋等を加熱する加熱部と、前記加熱部を下方から支持する加熱部支持板と、前記加熱部の加熱動作を制御する制御部を有する制御基板と、前記制御基板を収納し、かつ上方が開放された箱状の外郭とを備え、前記外郭は、前記加熱部支持板の下方に配置されるとともに、前記外郭上方の縁の少なくとも１辺にフランジ部と、前記フランジ部の端部もしくは前記フランジ部の一部を切り欠くことで構成される嵌合部と、を有し、前記加熱部支持板は、前記フランジ部に対向する位置に前記フランジ部と嵌合する爪を有し、前記加熱部支持板を水平方向にスライドさせて前記嵌合部に前記爪を嵌合させることで、前記加熱部支持板と前記外郭とが接続されるよう構成したものである。
【００１１】
このように構成したことにより、前記フランジ部と前記爪の勘合部周辺をねじ等の締結手段で固定しなくとも前記加熱部支持板と前記外郭を機械的に接続できる。また、ねじ等の締結手段で固定する工数の削減を図ることができ、さらに、フランジ部と対向する辺において、爪と嵌合させることができ、接続時の機械的強度が増すのである。
【００１２】
第２の発明は、特に第１の発明において、前記嵌合部は、少なくとも前記外郭の角部周辺に設けるよう構成したものである。
【００１３】
これにより、前記外郭は前記加熱部支持板の角部周辺で確実に保持されるため、より強固な構造を実現できるのである。
【００１４】
第３の発明は、特に第１の発明において、前記爪は、Ｌ字型とし、前記フランジ部の端部を前記Ｌ字型の爪に勘合させるよう構成したものである。
【００１５】
これにより、角部にて前記フランジ部の２辺を確実に保持するため、強固な構造を実現でき、角部に大きな隙間ができることを抑制できるのである。
【００１６】
第４の発明は、特に第１の発明において、前記加熱部支持板を、水平方向であって、前記外郭の前後方向もしくは左右方向にスライドさせることで、前記加熱部支持板と前記外郭とが接続されるよう構成したものである。
【００１７】
これにより、特に外郭が箱型の場合はスライド方向がフランジと平行になるので、接続しやすいのである。
【００１８】
第５の発明は、特に第４の発明において、前記加熱部支持板を、前記外郭の前後方向もしくは左右方向のうち、前記外郭の短辺方向となる方向にスライドさせることで、前記加
熱部支持板と前記外郭とが接続されるよう構成したものである。
【００１９】
これにより、前記加熱部支持板をスライドさせる距離が短くなるため、スライドさせる時間が短くなり、組立やすいのである。
【００２０】
第６の発明は、特に第１の発明において、前記嵌合部及び前記爪を複数組有し、前記複数組の前記嵌合部及び前記爪のうち少なくとも一組は、他の組と比較して、前記加熱部支持板をスライドさせることによって嵌合動作が開始されるタイミングが異なるよう構成したものである。
【００２１】
これにより、複数の組で同時に位置合わせをしなければならない状態を回避でき、組立性が向上するのである。
【００２２】
第７の発明は、特に第６の発明において、前記嵌合部は、組立時に前記加熱部支持板をスライドさせる方向に平行な前記フランジ部に設けられ、前記嵌合部の中心が前記外郭の中心よりもスライド方向とは反対側の位置に存在するように構成したものである。
【００２３】
このように構成することで、前記加熱部支持板と前記外郭の各嵌合部における嵌合のタイミングがずれるため、さらに組立性を向上することができる。
【００２４】
第８の発明は、特に第１の発明において、前記爪の周囲にビード絞りを設けて構成したものである。
【００２５】
これにより、嵌合部周囲の強度が増し、前記外郭の重みで前記爪が沈み込むことを抑制できるのである。
【００２６】
第９の発明は、特に第１の発明において、前記加熱部支持板は、前記爪の周囲に開口部を有するように構成したものである。
【００２７】
これにより、前記開口部から前記フランジを確認でき、前記爪との位置合わせができるため、組立性が向上するのである。
【００２８】
第１０の発明は、特に第１の発明において、前記加熱部支持板の前記爪を設けていない辺において、前記加熱部支持板と前記外郭とを締結手段によって機械的に締結するように構成したものである。
【００２９】
これにより、嵌合部をもたない辺においても前記加熱部支持板と前記外郭が機械的に締結されるため、各辺すべてに締結手段を用いなくとも前記外郭を機械的に保持できるのである。
【００３０】
以下、本発明の実施の形態について、図面を参照しながら説明する。なお、本実施の形態によって本発明が限定されるものではない。
【００３１】
（実施の形態１）
図１、２はそれぞれ本発明の第１の実施の形態における組み込み式加熱調理器の展開斜視図、加熱部支持板の斜視図を示すものである。
【００３２】
図１、２において、鍋等を載置する耐熱性の絶縁材であるセラミックプレート等で構成された天板１１があり、天板１１を下方から支持し、板金で構成された天板支持体１２が構成されている。両者は、シリコン接着剤で接着されており、天板１１の下方には、天板
１１上に載置された鍋等を加熱する加熱部１４が配置される。また、加熱部領域１３は加熱部１４によって加熱が可能な領域を示している。なお、本実施の形態においては、加熱部１４は鍋等を電磁誘導加熱する加熱コイルで、この加熱コイルが４つ、加熱部支持板１５の上に載置されている。加熱部１４は、加熱コイルに限らず他の加熱手段であっても良い。
【００３３】
加熱部支持板１５の前方には操作基板２７が備えられており、天板１１の操作部２８で本調理器を操作できるようになっている。
【００３４】
加熱部支持板１５の下方には、加熱部１４を駆動及び制御する制御部を有する制御基板１６があり、ファンモータ１８が制御基板１６上の部品の発熱を冷却し、それらは同じく加熱部支持板１５の下方に設けられた上方に開口を設けた箱状の外郭１７の中に収納されている。
【００３５】
外郭１７の上面の縁には各辺に外向きに約９０°に曲げられたフランジ部１９が形成され、左右のフランジ部１９には、外郭１７を上方から見た際の中心よりも後ろ側に切り欠き部２０を設けている。
【００３６】
加熱部支持板１５には図２に示すように左右および奥のフランジには爪２１があり、これは加熱部支持板１５の底面からフランジの厚みほど一段落とすように設けられている。爪２１の周囲には爪２１を囲うようにビード絞り２２が設けられ、その手前側には開口部２３がある。加熱部支持板１５の奥側の左右両角には図２のようにＬ字型の爪２４が同様に設けられている。
【００３７】
以上のように構成された組み込み式加熱調理器の本体構成について、以下その動作、作用を説明する。
【００３８】
まず、上記構成において、加熱部支持板１５と外郭１７の外郭の構成及び固定方法を説明する。
【００３９】
図３は加熱部支持板１５と外郭１７との接続方法を示す斜視図である。
【００４０】
図３のように、加熱部支持板１５を後方から外郭１７の前後方向に平行にスライドさせて動かし、まず開口部２３から切り欠き部２０とフランジ部１９の境目を確認し、左右の爪２１の誘いにひっかけるように外郭１７を加熱部支持板１５に載せる。次に、そのまま加熱部支持板１５のスライドを続けて、Ｌ字型の爪２４の誘い及び、奥側の爪２４に外郭１７の左右及び奥側のフランジ部１９を載せ、そのままスライドを継続し、爪２４を形成する曲げの根元でおおよその前後方向の位置を決め、加熱部支持板前方の底面に設けられた締結穴２５と外郭手前のフランジに設けられた締結穴２６とをねじで締結して、接続完了となる。図４、図５はそれぞれスライドさせて接続した後の加熱部支持板１５と外郭１７の状態を示す斜視図、加熱調理器の断面図である。なお、図５（ａ）は図中のＡ−Ａ断面図であり、図５（ｂ）は（ａ）の要部の拡大図である。
【００４１】
上記のように、フランジ部１９をスライドさせ、爪２４によって機械的に保持される構成であるので、爪２４とフランジの勘合部周辺はねじ等の締結手段で固定しなくとも加熱部支持板１５と外郭１７とを機械的に接続できるのである。
【００４２】
また、ねじ等の締結手段で固定する工数の削減を図ることができ、部品コストおよび工数の削減を実現できるのである。
【００４３】
また、フランジ部１９はその一部を切り欠くことで構成したことにより、フランジ部と対向する各辺において、加熱部支持板１５に設けた複数の爪と嵌合させることができ、接続時の機械的強度が増すのである。さらには、製品が落下した等、外郭１７に強い荷重がかかった際でも一辺に複数の嵌合部を設けることで嵌合部にかかる応力を分散できるので、外郭１７にひっぱられてフランジ部１９が変形するといったことを抑制できるのである。
【００４４】
また、爪２１を少なくとも外郭１７の角部周辺に設けるよう構成しているので、外郭１７は加熱部支持板１５の角部周辺で確実に保持されるため、より強固な構造を実現できるのである。このとき、特に爪２１をＬ字型とし、フランジ部１９の端部を嵌合部として前記Ｌ字型の爪２４とを勘合させるよう構成したので、角部にてフランジ部１９の２辺を確実に保持するため、強固な構造を実現でき、角部に加熱部支持板１５と外郭１７の接続間の大きな隙間ができることを抑制できるのである。
【００４５】
また、前記加熱部支持板を、外郭１７の前後方向に水平にスライドさせることで、加熱部支持板１５と外郭１７とが接続されるよう構成したので、特に本実施例に示すように外郭が箱型の場合は、スライド方向がフランジと平行になるので、接続しやすいのである。さらには、外郭１７の前後方向もしくは左右方向のうち、外郭１７の短辺方向となる方向にスライドさせるよう構成したため、加熱部支持板１５をスライドさせる距離が短くなるため、スライドさせる時間が短くなり、組立やすいのである。
【００４６】
さらには、嵌合部は、組立時に加熱部支持板１５をスライドさせる方向に平行なフランジ部１９に設け、嵌合部の中心が外郭１７の中心よりもスライド方向とは反対側の位置に存在するように構成したことにより、フランジ部１９と爪２１の嵌合動作が開始されるタイミングが異なるため、複数の組で同時に位置合わせをしなければならない状態を回避でき、組立性が向上するのである。
【００４７】
また、爪２１の周囲にはビード絞り２２を設けて、嵌合部周囲の強度を増し、外郭１７の重みで爪２１が沈み込むことを抑制している。
【００４８】
さらに、加熱部支持板１５は、爪２１の周囲に開口部２３を設けたことで、開口部２３から外郭１７のフランジの先端を確認でき、爪２１との位置合わせが可能となるため、組立性が向上するのである。
【００４９】
また、加熱部支持板１５の、爪２１を設けていない辺においては、加熱部支持板１５と外郭１７とをねじによって機械的に締結することで、嵌合部をもたない辺においても加熱部支持板１５と外郭１７とが機械的に締結されるため、各辺すべてにねじ等の締結手段を用いなくとも外郭１７を機械的に保持できるのである。
【００５０】
なお、本実施の形態のように、複数の嵌合部によって加熱部支持板１５と外郭１７とを接続した場合には、製品が落下した等、前記外郭に強い荷重がかかった際でも一辺に複数の嵌合部を設けることで嵌合部にかかる応力を分散できるので、前記外郭にひっぱられてフランジ部が変形するといったことを抑制できる。
【産業上の利用可能性】
【００５１】
以上のように、本発明にかかる組み込み式加熱調理器は、組み込み式で使用する調理機器等の用途にも適用できる。
【符号の説明】
【００５２】
１１  天板
１２  天板支持体
１３  加熱部領域
１４  加熱部（加熱コイル）
１５  加熱部支持板
１６  制御基板
１７  外郭
１８  ファンモータ
１９  フランジ部
２０  切り欠き部
２１  爪
２２  ビード絞り
２３  開口部
２４  Ｌ字型の爪
２５、２６  締結穴
２７  操作基板
２８  操作部
【図１】
2014142125.tif 000003
【図２】
2014142125.tif 000004
【図３】
2014142125.tif 000005
【図４】
2014142125.tif 000006
【図５】
2014142125.tif 000007
【図６】
2014142125.tif 000008